(57)【要約】【課題】床が平坦な部分のみならず、任意の勾配に形成された段差部分等についても設置作業を簡単に行うことができるようにする。また、軽量で取扱性に優れ、コンパクトに収納でき、部分補修が簡単に行えるようにする。【解決手段】長尺状の保護材本体（２）の側縁に沿って連結部（３）を設ける。この連結部（３）を介して上記の保護材本体（２）をこれに隣接する保護材本体（２）に対して長手方向へスライドできる状態に連結する。互いに隣接する保護材本体（２）同士の間は、連結部（３）で折り曲げできるようにする。さらに、上記の連結部（３）で、互いに隣接する保護材本体（２）同士を分離できるようにする。【選択図】  図１
2004156273.tif 000002
【特許請求の範囲】
【請求項１】
長尺状の保護材本体（２）の側縁に沿って連結部（３）を設け、この連結部（３）を介して上記の保護材本体（２）をこれに隣接する保護材本体（２）に長手方向へスライドできる状態に連結したことを特徴とする、壁面保護材。
【請求項２】
上記の保護材本体（２）とこれに隣接する保護材本体（２）との間を、上記の連結部（３）で折り曲げできるように構成した、請求項１に記載の壁面保護材。
【請求項３】
上記の連結部（３）を、上記の隣接する保護材本体（２）との連結が解除できるように構成した、請求項１または請求項２に記載の壁面保護材。
【請求項４】
上記の連結部（３）を、保護材本体（２）よりも剛性の高い材料で形成した、請求項１から３のいずれか１項に記載の壁面保護材。
【発明の詳細な説明】
【０００１】
【発明の属する技術分野】
この発明は、引越し等で家具等の荷物類を搬送する際、住居の壁面を傷つけることを防止するために使用される壁面保護材に係わり、さらに詳しくは、床面が平坦な部位はもとより、階段など床面に段差があったり傾斜している部位にも適用でき、しかも、不使用時にはコンパクトに収納でき、取扱い性にすぐれた壁面保護材に関する。
【０００２】
【従来の技術】
一般に、引越し業者等では、家具類や電化製品等の搬送を行う際、搬送物との接触で住宅の壁面を傷つけることがないように、前もって壁面保護材を配置して壁面の養生を行っている。
従来、上記の壁面保護材としては、例えば図５や図６に示すように、矩形のシート状または板状に形成したものがある（以下、従来技術１という）。この矩形の壁面保護材（５１）は、図５に示すように粘着テープ（５２）等によって壁面（５３）へ直接取り付けたり、図６に示すように、Ｌ型スタンド（５４）で支持して壁面（５３）に沿って設置したりしている。
【０００３】
又、他の形式の壁面保護材（６１）として、例えば図７に示すように、長尺の分割芯材（６２）を布等のカバーシート（６３）で包み、分割心材（６２・６２）間で屈曲できるように構成し、Ｌ型スタンド（５４）で支持して壁面（５３）に沿って配置するとともに、壁面（５３）のコーナー部など曲面形状に対応させるようにしたものがある（以下、従来技術２という）。
【０００４】
さらに他の従来の壁面保護材（７１）として、例えば図８に示すように、長尺の分割心材（７２）を長手方向に一定ピッチずつづらせ、この分割心材（７２）を菱形形状の可撓性シート（７３）に保持させ、階段部分の壁面を保護できるように構成したものが提案されている（以下従来技術３という。例えば、特許文献１参照。）。
【０００５】
【特許文献１】
特開２０００−３４５６４０
【０００６】
【発明が解決しようとする課題】
上記の従来技術１にあっては、粘着テープを用いると、除去する際にそのテープの痕跡が壁面に残ったり、壁面の素材を破損したりする惧れがあり、一方、Ｌ型スタンドで支持する場合は、保護材が立設可能なように剛性を備えるため、不使用時に折畳むことができず、保管や搬送にスペースを要する問題がある。しかも、階段などの傾斜部に配置する場合は側端部が斜めになるため、保護材のこの側端部が無駄になったり、壁面を充分に覆えなかったりする惧れがあり、これらの壁面に対する保護作業は非常に手間がかかる問題がある。
【０００７】
また、上記の従来技術２にあっては、分割芯材が剛性を必要とし、カバーシートやクッション材など使用される素材の数が多く、保護材全体の重量が重くなるうえ、全体が矩形に形成されているため、上記の従来技術１と同様、階段部に配置すると側端部が無駄になったり壁面を充分に覆えなかったりする問題がある。しかも、屈曲可能な分割心材間は階段部では斜めとなるため、階段部の中間にあるコーナー部には対応することができない問題もある。
【０００８】
一方、上記の従来技術３にあっては、一見、階段部の壁面に対応できるように見えるが、一般に、階段の勾配、即ち、階段の段差や踏面（踏み板の奥行き）の寸法は建物により異なるのに対し、この従来技術３では分割心材を一定ピッチずつずらせただけであるので、所定の勾配の階段にしか適用できず、勿論、床面が平坦な部分の壁面には対応することができない。また、階段の中間にコーナー部があると、そのコーナー部の外回りは踏面が広く、コーナー部の内回りは踏面が狭くなっているので、このコーナー部では分割心材の幅と踏面寸法とが異なることとなり、このコーナー部の壁面を保護することができない。
しかも、この壁面保護材を不使用時に巻き取ると、各分割心材が一定ピッチずつずれているため、筍状に巻き取られることとなり、コンパクトに収容することができない問題もある。
【０００９】
さらに上記の各従来技術は、いずれも保護材の一部が破損すると、破損部のみを補修することが容易でなく、全体を取り替えるか、あるいは補修の手間と費用が多くかかる問題もある。
本発明は上記の問題点を解消し、床が平坦な部分のみならず、任意の勾配に形成された段差部分等についても設置作業を簡単に行うことができ、しかも軽量で取扱性にすぐれ、コンパクトに収納が可能であり、部分補修が簡単に行える壁面保護材を提供することを技術的課題とする。
【００１０】
【課題を解決するための手段】
本発明は上記の課題を解決するため、例えば本発明の実施の形態を示す図１から図４に基づいて説明すると、壁面保護材を次のように構成したものである。
即ち、長尺状の保護材本体（２）の側縁に沿って連結部（３）を設け、この連結部（３）を介して上記の保護材本体（２）をこれに隣接する保護材本体（２）に長手方向へスライドできる状態に連結したことを特徴とする。
【００１１】
ここで、上記の保護材本体は、長尺状で薄肉であり、かつ衝撃吸収機能がある素材で形成されると好ましく、これらの素材としては、例えば、ポリエチレン発泡体、ポリプロピレン発泡体、ポリスチレン発泡体などの樹脂発泡体が好ましいが、要求される状況に応じて、例えばダンボール、プラスチックダンボール、板紙など、他の板状の素材を単独あるいは組み合わせて用いることができる。
また、上記の連結部は、保護材本体の一部で形成してもよいが、例えばＡＢＳ樹脂やアルミ合金など、保護材本体よりも剛性の高い素材で形成し、これを保護材本体に着脱可能に、または着脱不能に固定してもよい。
【００１２】
【作用】
床面が平坦な部分では、上記の保護材本体は同じ高さ位置に揃えられ、全体として矩形状に形成された状態で壁面に沿って配置される。一方、階段などの段差を有する部分では、保護材本体は上記の連結部で長手方向へスライドされてその段差分だけずらされ、これにより各保護材本体が垂直方向に立設した状態で壁面に沿って配置される。
【００１３】
例えば上記の連結部にヒンジ構造を形成する等、上記の保護材本体とこれに隣接する保護材本体との間を、連結部で折り曲げできるように構成した場合には、使用時にはコーナー部を有する壁面にも適用され、不使用時にはこの連結部で折畳まれコンパクトな状態にされて保管・搬送等される。保管・搬送等される際には、各保護材本体は同じ高さ位置に揃えられ、前記の従来技術３と異なって筍状になることなくコンパクトに折畳まれる。
【００１４】
また、上記の連結部を、隣接する保護材本体との連結が解除できるように構成した場合には、使用時には壁面の長さに応じて連結・取外しされ、不使用時にはこの連結部を取外して分解してコンパクトに保管・搬送等される。また、保護材の一部が損傷すると、損傷した保護材本体のみが取外され、交換される。
【００１５】
【発明の実施の形態】
図１から図３は本発明の壁面保護材の一実施形態を示し、図１（ａ）は壁面保護材の一部破断正面図、図１（ｂ）は図１（ａ）のＢ部の拡大図、図１（ｃ）は図１（ａ）のＣ−Ｃ線矢視拡大端面図、図２は図１（ａ）のＩＩ−ＩＩ線矢視断面図、図３は階段部に配置した壁面保護材の正面図である。
【００１６】
図１（ａ）に示すように、この壁面保護材（１）は、長尺状で薄肉に形成した複数の保護材本体（２…）と、各保護材本体（２）の側縁に沿って設けられた連結部（３）と、保護材本体（２）の下部に付設された支持脚部（４）とからなる。
上記の保護材本体（２）は、例えば発泡倍率８倍のポリプロピレン発泡体で、厚み４ｍｍ、幅２４０ｍｍ、長さ１８００ｍｍに形成され、上端の角部は壁面への損傷を防止するため丸みを付けてあり、全体として軽量で且つ優れた衝撃吸収能力を備えている。
なお、本発明に用いる上記の保護材本体は、この実施形態の寸法や発泡倍率等に限定されないことはいうまでもない。またこの保護材本体の素材としては軽量で衝撃吸収能力を持つ板状の素材であれば好ましく、例えば各種合成樹脂の発泡体、プラスチックダンボール等の樹脂板状体、紙加工品等が使用可能である。
【００１７】
一方、上記の連結部（３）は、隣接する保護材本体（２・２）同士を互いに連結させるとともに、長手方向へスライドできるように構成してある。即ち、この連結部（３）は、図１（ｂ）に示すように、一方の保護材本体（２）の側縁に固定した第１連結部材（３ａ）と他方の保護材本体（２）の側縁に固定した第２連結部材（３ｂ）とからなる。そして図１（ｃ）に示すように、上記の第１連結部材（３ａ）には凹溝（５）が長手方向に形成され、第２連結部材（３ｂ）には突条部材（６）が支持部材（７）で長手方向に固定してあり、上記の突条部材（６）は、その先端部（６ａ）を上記の凹溝（５）内に、長手方向へスライド可能に係合してある。
【００１８】
上記の連結部（３）は、例えば長さを１７４０ｍｍとし、保護材本体（２）の長さより短くすることにより、この連結部（３）の端部が壁面へ触れにくいようにしてある。また、この連結部（３）は、壁面保護材（１）の両端部では省略することができる。但し、この両端部には連結部（３）を設けておくこともでき、この場合には、この端部に新たな保護材本体（２）を連結することで、壁面保護部材（１）を壁面の長さに応じて延長させることができる。
【００１９】
上記の第１連結部材（３ａ）と第２連結部材（３ｂ）の支持部材（７）とは、保護材本体（２）の補強と耐久性を考慮して、保護材本体（２）よりも剛性の高いＡＢＳ樹脂により成型されており、接着剤など適宜の固定手段で保護材本体（２）の側縁に固定してある。
これに対し、上記の突条部材（６）は、ウレタン系樹脂等の柔軟性のある合成樹脂材料で形成してあり、上記の保護材本体（２）とこれに隣接する保護材本体（２）との間を連結部（３）で折り曲げできるように構成してある。また、突条部材（６）の先端部（６ａ）は弾性変形が可能であり、図１（ｃ）の仮想線に示すように偏平化させることで凹溝（５）に対して容易に着脱できるようにしてある。なお、この実施形態では突条部材（６）と支持部材（７）とを別体に形成したが、一体に成形したものであってもよい。
【００２０】
この実施形態では突条部材（６）を柔軟材料で形成したので、壁面保護材（１）を連結部（３）で折畳むことができる。但し、本発明の連結部（３）は互いに隣接する保護材本体（２・２）同士を長手方向へスライドできるようにしてあればよく、例えばこの連結部（３）を剛性材料で形成して折り曲げできないように構成してもよい。また、上記の突条部材（６）は、凹溝（５）に対して長手方向へスライドさせることにより着脱させてもよい。
【００２１】
図２に示すように、上記の保護材本体（２）の下部には前記の支持脚部（４）が固定具（８）により着脱不能に固定されており、この支持脚部（４）は、例えばプラスチックダンボールのような、上記の保護材本体（２）を支持できる程度以上の剛性を備えた素材で形成されている。この支持脚部（４）は、使用時には断面がＬ形にされ、底辺部（４ａ）が保護材本体（２）と直交した姿勢にされる。一方、不使用時に壁面保護材（１）を折畳む際には、上記の底辺部（４ａ）は、図２の仮想線に示すように保護材本体（２）と平行な姿勢に変更される。
なお、上記の固定具（８）は支持脚部（４）を着脱可能に固定することもできる。この場合は、支持脚部（４）は断面がＬ形に固定され、この支持脚部（４）を取外した状態で壁面保護材（１）が折畳まれる。
また、本発明では上記の支持脚部（４）を省略しても良く、この場合は、例えば前記の従来技術で用いたＬ型スタンド等を用いることで、この壁面保護材（１）を壁面に沿って立設することができる。
【００２２】
上記の壁面保護材（１）は、廊下や室内など、床面が平坦な部位では、各保護材本体（２）の高さ位置が揃えられ、壁面に沿って配置される。
これに対し、図３に示すように一定の勾配を備えた階段部（９）にあっては、各保護材本体（２）が連結部（３）で長手方向へ一定ピッチずつずらされ、壁面（１０）に沿って配置される。階段部（９）の途中にコーナー部があれば、そのコーナー部での段差と踏面寸法に応じて長手方向へずらす寸法が調整される。階段部（９）の終端では保護材本体（２）の高さ位置が揃えられ、壁面（１０）が無駄なく確実に保護される。これにより、上記の壁面保護材（１）は、床面が平坦な部分はもとより、階段部（９）等の段差部での壁面（１０）も、簡単に安定した状態で保護することができる。
【００２３】
上記の連結部は、例えば図４に示す変形例等が考えられる。但し本発明の連結部は、保護材本体を長手方向へスライド可能に連結できればよく、これらの変形例や上記の実施形態の形状、構造、寸法、材質等に限定されないことはいうまでもない。
【００２４】
図４（ａ）に示す第１変形例は、連結部（３）を保護材本体（２）の側縁で構成したものである。即ち、この保護材本体（２）の一方の側縁に形成した突条（１１）と、他方の側縁に形成した凹溝（１２）とで連結部（３）が構成され、上記の突条（１１）が凹溝（１２）にスライド可能に係合してある。
【００２５】
図４（ｂ）に示す第２変形例は、連結部（３）に保護材本体（２）とは別体の連結部材（１３）を用いてある。即ち、この第２変形例では保護材本体（２）の両側縁にそれぞれ突条（１１）が形成してあり、この突条（１１）に連結部材（１３）の凹溝（１２）が、長手方向へスライド可能に係合されている。
【００２６】
図４（ｃ）に示す第３変形例は、第２変形例と同様に、連結部（３）として保護材本体（２）とは別体の連結部材（１３）を用いてあり、この連結部材（１３）にヒンジ機構（１４）を形成したものである。
【００２７】
図４（ｄ）に示す第４変形例は、連結部（３）を保護材本体（２）の側縁に、長手方向に沿って間欠的に付設したものである。
【００２８】
【発明の効果】
本発明は上記のように構成され作用することから、次の効果を奏する。
【００２９】
（１）  各保護材本体をこれに隣接する保護材本体に対して長手方向へスライドできるので、床面が平坦な部位の壁面にはもとより、階段部や任意の傾斜部の壁面にも適用でき、さらには階段のコーナー部や、床面が平坦な部位と階段との接続部の壁面などにも、保護材本体のスライド寸法を調節することにより容易に適用でき、様々な部位で壁面を簡単に安定した状態で保護することができる。
【００３０】
（２）  保護材本体は隣接する保護材本体と連結部で結合されるだけであり、前記従来技術２や３で必要としたカバーシートなどが不要であるので、全体として軽量に構成することができ、取扱い性に優れる。
【００３１】
（３）  上記の保護材本体とこれに隣接する保護材本体との間を連結部で折り曲げできるように構成した場合には、コーナー部や曲面部を有する壁面にも容易に適用できるうえ、不使用時にはこの連結部で折畳むことができ、保護材の保管や搬送時のスペースを軽減できるので好ましい。
【００３２】
（４）  上記の連結部を、上記の隣接する保護材本体との連結が解除できるように構成した場合には、使用時は保護材の長さを壁面の長さに応じて調節でき、無駄なく壁面を確実に保護できるうえ、不使用時にはこの連結部を取外すことにより、コンパクトに保管・搬送等することができる。さらに、保護材の一部が損傷すると、この損傷した保護材本体のみを交換することで簡単且つ安価に補修することができ、好ましい。
【００３３】
（５）  上記の連結部を、保護材本体よりも剛性の高い材料で形成した場合には、この連結部により保護材本体の長さ方向の剛性を補強できるので、保護材本体のいわゆる垂れを防止でき、より好ましい。
【図面の簡単な説明】
【図１】本発明の一実施形態を示し、図１（ａ）は壁面保護材の一部を破断した正面図、図１（ｂ）は図１（ａ）のＢ部の拡大図、図１（ｃ）は図１（ａ）のＣ−Ｃ線矢視拡大端面図である。
【図２】図１（ａ）のＩＩ−ＩＩ線矢視断面図である。
【図３】本発明の実施形態を示す、階段部に配置した壁面保護材の正面図である。
【図４】本発明の実施形態の変形例を示し、図４（ａ）は第１変形例の連結部近傍の横断面図、図４（ｂ）は第２変形例の連結部近傍の横断面図、図４（ｃ）は第３変形例の連結部近傍の横断面図、図４（ｄ）は第４変形例の壁面保護材の正面図である。
【図５】従来技術１を示す、粘着テープで固定した壁面保護材の使用説明図である。
【図６】従来技術１の、Ｌ型スタンドで支持した壁面保護材の使用説明図である。
【図７】従来技術２を示す、一部を破断した図６相当図である。
【図８】従来技術３を示す、壁面保護材の一部破断斜視図である。
【符号の説明】
１…壁面保護材、２…保護材本体、３…連結部。
【図１】
2004156273.tif 000003
【図２】
2004156273.tif 000004
【図３】
2004156273.tif 000005
【図４】
2004156273.tif 000006
【図５】
2004156273.tif 000007
【図６】
2004156273.tif 000008
【図７】
2004156273.tif 000009
【図８】
2004156273.tif 000010